(57)【要約】【課題】収容空間を容易に、連続的に変更できる愛玩動物用サークルを得る。【解決手段】愛玩動物を収容する愛玩動物用サークルであって、開口部を有する一対の囲い部材を、その開口端部の壁体の一部を重ね合わせることによってサークルを形成し、重ね合わせる部分の長さを調整することでサークルの幅を調整できるようにした。  また、一対の囲い部材の一方に扉を設け、扉を設けていない囲い部材の壁が扉の部分と重なる場合には、その部分の壁部材を排除できるようにした。【選択図】  図１
2008118931.tif 000002
【特許請求の範囲】
【請求項１】
愛玩動物を収容する愛玩動物用サークルにおいて、サークルが幅方向調整可能に構成されていることを特徴とする愛玩動物用サークル。
【請求項２】
愛玩動物を収容する愛玩動物用サークルであって、開口部を有する複数の囲い部材を、その開口端部の壁体の一部を重ね合わせることによってサークルを形成し、重ね合わせる部分の長さを調整することでサークルの幅を調整できるようにしたことを特徴とする愛玩動物用サークル。
【請求項３】
サークル幅の調整は、横方向の幅および奥行き方向の幅の両方の幅を調整できることを特徴とする請求項２に記載の愛玩動物用サークル。
【請求項４】
いずれか一つ又は複数の囲い部材の壁体に扉を設け、扉を設けていない囲い部材の壁体が前記扉の部分と重なる場合には、その部分の壁部材を排除できるようにしたことを特徴とする請求項２または３に記載の愛玩動物用サークル。
【請求項５】
サークルを構成する壁体の一部に設けられた扉体と、該扉体に設置されたロック機構と、を備え、該ロック機構が扉体の閉止時のロックとして機能すると共に扉体を開放した状態で扉体を開放状態に保持するためのロック機構としても機能することを特徴とする請求項１〜４のいずれか一項に記載の愛玩動物用サークル。
【請求項６】
ロック機構は、扉を閉じた状態でサークルの枠体に係止する第１係止部と、扉を開放した状態でサークルの枠体または壁部材に係止する第２係止部と、を備えてなり、扉閉止時には第１係止部を枠体に係止させて扉閉止時のロック機構として機能し、扉開放時には扉を開放した状態で第２係止部をサークルの枠体もしくは壁部材に係止させて扉開放を保持する扉開放ロック機構として機能するように構成したことを特徴とする請求項４記載の愛玩動物用サークル。
【請求項７】
サークルの下方に設置するサークル用トレーを備え、該サークル用トレーが幅方向に伸縮可能に構成されていることを特徴とする請求項１〜６のいずれか一項に記載の愛玩動物用サークル。
【請求項８】
サークルとサークル用トレーが所定のピッチで幅方向に伸縮調整可能に構成され、前記サークルと前記サークル用トレーの幅方向調整ピッチが同一のピッチに設定されていることを特徴とする請求項７記載の愛玩動物用サークル。
【請求項９】
サークル用トレーは複数の凹凸部を有する板材からなり、これら複数の板材の一部を重ねて凹凸を嵌合させて連結するように構成されていることを特徴とする請求項７または８に記載の愛玩動物用サークル。
【請求項１０】
愛玩動物用サークルまたは愛玩動物侵入規制用柵に用いるパネル体であって、該パネル体を、扉を備えた第１パネル体と該第１パネル体に一部を重ねて配置される第２パネル体を備えてなり、これら第１パネル体と第２パネル体の重なり量を調整することでパネル体全体の幅調整をできるように構成され、前記第２パネル体の壁体の一部を排除可能にすることによって、前記扉と第２パネル体の壁体が重なる場合にも扉の機能が阻害されないようにしたことを特徴とするパネル体。
【発明の詳細な説明】
【技術分野】
【０００１】
本発明は、愛玩動物を飼育するのに用いる愛玩動物用サークルおよび該サークルに使用できるパネル体に関する。
【背景技術】
【０００２】
愛玩動物用サークルは愛玩動物を飼育するための囲いである。このような愛玩動物用サークルとして、例えば柵からなる複数のパネル体を組み合わせて囲いにしたものが提案されている（特許文献１参照）。
【０００３】
また、愛玩動物用サークルではないが、ペットの種類や大きさに応じて収容空間を変えることができるペットケージが提案されている。
このペットケージは、収納空間の底部に位置する底枠と、収納空間の中間に位置すると共に必要に応じて１又は複数配設される中枠と、収納空間の天井部に位置する天枠と、上記底枠、中枠及び天枠に着脱自在に取り付けられる支柱と、上記底枠と天枠との間及び中枠が配設されている場合は中枠と底枠又は天枠との間に着脱自在に取り付けられて収納空間の周囲を仕切る線材板とを組み合わせて、１段又は複数段に構成することを特徴とするものである（特許文献２参照）。
【特許文献１】特開２００６−２７１２１５号公報
【特許文献２】実用新案登録第３０９８１２７号公報
【発明の開示】
【発明が解決しようとする課題】
【０００４】
特許文献１に開示されたペット用柵は複数のパネル体を組み合わせて矩形の囲いとするものであるが、その大きさが固定されている。現在、知られている愛玩動物用サークルはこの特許文献１に示されたものと同様にその大きさが固定のもののみである。
【０００５】
愛玩動物、例えば犬を飼育する場合、通常２〜３ヶ月の子犬のときから飼育する。しかし、子犬の成長ははやく月齢の小さいときに適切であったサークルもすぐに狭くなる。かといって、最初から大きなサークルを設置するのは、例えば室内での飼育の場合には部屋のスペースの関係から好ましくない。
このように、愛玩動物用サークルを選定する際には、愛玩動物の成長のこと、設置スペースのこと、を考慮して選定する必要がある。
しかし、従来の愛玩動物用サークルは、特許文献１に示されたように大きさが固定であるため、上記の条件に見合うような選定ができないという問題があった。
【０００６】
この点、引用文献２に示されたペットケージはその大きさを変更できる。しかし、引用文献２のものは、一定の長さの支柱と線材板で構成される枠体をつなぎ合わせることで収容空間を変更するというものである。そのため、変更できる度合いが支柱の長さごとになり、微妙な調整などはできない。また、その変更には支柱の取り付け等の作業が必要であり、煩雑である。
【０００７】
本発明はかかる課題を解決するためになされたものであり、収容空間を容易に、連続的に変更できる愛玩動物用サークルを得ることを目的としている。
【課題を解決するための手段】
【０００８】
（１）本発明に係る愛玩動物用サークルは、愛玩動物を収容する愛玩動物用サークルにおいて、サークルが幅方向調整可能に構成されていることを特徴とするものである。
幅方向とは、高さ方向以外の横方向を意味し、例えばサークルの奥行き方向を含む。
【０００９】
（２）また、愛玩動物を収容する愛玩動物用サークルであって、開口部を有する複数の囲い部材を、その開口端部の壁体の一部を重ね合わせることによってサークルを形成し、重ね合わせる部分の長さを調整することでサークルの幅を調整できるようにしたことを特徴とするものである。
壁体とは、囲いを構成する周壁であって、例えば線材からなる柵状のもの、板状体からなる柵状のもの等種々の態様を含む。
また、サークルとは、周囲が閉じた囲いをいうものとする。
囲いが２個の場合のサークルの態様としては、平面視でコ字状の1対の囲いをコ字の開口部が対向するように配置してサークルを形成する態様がある。
また、囲いが４個の場合のサークルの態様としては、平面視で略く字状の４個の囲いを隣接する囲いの壁体の一部が重なるように配置してサークルを形成する態様がある。
【００１０】
（３）また、上記（１）または（２）に記載のものにおいて、サークル幅の調整は、横方向の幅および奥行き方向の幅の両方の幅を調整できることを特徴とするものである。
【００１１】
（４）また、上記（２）または（３）に記載のものにおいて、いずれか一つ又は複数の囲い部材の壁体に扉を設け、扉を設けていない囲い部材の壁体が扉の部分と重なる場合には、その部分の壁体を構成する部材を排除できるようにしたことを特徴とするものである。
排除とは、壁体を構成する部材を取り外すこと、壁体を構成する部材をスライドまたは回動させて扉の後方から退避させること等を含む。要するに、扉を開けたときに邪魔にならないようにする種々の態様を含む。
【００１２】
（５）また、上記（１）〜（４）のいずれかに記載のものにおいて、サークルを構成する壁体の一部に設けられた扉体と、該扉体に設置されたロック機構と、を備え、該ロック機構が扉体の閉止時のロックとして機能すると共に扉体を開放した状態で扉体を開放状態に保持するためのロック機構としても機能することを特徴とするものである。
【００１３】
（６）また、上記（５）に記載のものにおいて、ロック機構は、扉を閉じた状態でサークルの枠体に係止する第１係止部と、扉を開放した状態でサークルの枠体または壁部材に係止する第２係止部と、を備えてなり、扉閉止時には第１係止部を枠体に係止させて扉閉止時のロック機構として機能し、扉開放時には扉を開放した状態で第２係止部をサークルの枠体もしくは壁部材に係止させて扉開放を保持する扉開放ロック機構として機能するように構成したことを特徴とするものである。
【００１４】
（７）また、上記（１）〜（６）のいずれかに記載のものにおいて、サークルの下方に設置するサークル用トレーを備え、該サークル用トレーが幅方向に伸縮可能に構成されていることを特徴とするものである。
【００１５】
（８）また、上記（７）に記載のものにおいて、サークルとサークル用トレーが所定のピッチで幅方向に伸縮調整可能に構成され、前記サークルと前記サークル用トレーの幅方向調整ピッチが同一のピッチに設定されていることを特徴とするものである。
【００１６】
（９）また、上記（７）または（８）に記載のものにおいて、サークル用トレーは複数の凹凸部を有する板材からなり、これら複数の板材の一部を重ねて凹凸を嵌合させて連結するように構成されていることを特徴とするものである。
【００１７】
（１０）また、本発明に係るパネル体は、愛玩動物用サークルまたは愛玩動物侵入規制用柵に用いるパネル体であって、該パネル体を、扉を備えた第１パネル体と該第１パネル体の一部を重ねて配置される第２パネル体を備えてなり、これら第１パネル体と第２パネル体の重なり量を調整することでパネル体全体の幅調整可能に構成され、前記第２パネル体の壁体の一部を排除可能にすることによって、前記扉と第２パネル体の壁体が重なる場合にも扉の機能が阻害されないようにしたことを特徴とするものである。
【発明の効果】
【００１８】
本発明の愛玩動物用サークルにおいては、サークル幅が伸縮可能に構成されているので、愛玩動物の成長に合わせて容易に収容空間を連続的に変更できる。
【発明を実施するための最良の形態】
【００１９】
図１は本発明の一実施の形態に係る愛玩動物用サークルの斜視図、図２は同じく本実施の形態に係る愛玩動物用サークルの分解斜視図である。
本実施の形態に係る愛玩動物用サークル１は、図１、図２に示すように、愛玩動物の出入り口となる第１扉３を備えた第１前面パネル５と、第１前面パネル５の後方側に第１前面パネル５に一部を重ねて配置された第２前面パネル７と、トイレなどの出し入れのための第２扉体９を備えた右側面パネル１１と、左側面パネル１３と、第１前面パネル５の後方に配置された第１後面パネル１５と、第１後面パネル１５の後方に一部を重ねて配置された第２後面パネル１７と、を備えて構成される。
以下、これらの各構成部材を、参照図面を示しつつ詳細に説明する。
【００２０】
＜第１前面パネル＞
第１前面パネル５は、矩形の木枠に線材を設置して構成されている。パネルの左側には線材からなる第１扉３が形成されている。第１扉３は右側の縦辺１９を回動軸として手前に回動して開放できるようになっており、第１扉３の左側には第１扉３を閉止状態でロックする鍵２０が設けられている。
第１前面パネル５の木枠を構成する枠上辺部材２１及び枠下辺部材２３の裏面側には第２前面パネル７と連結固定するための連結用の穴（図１６参照）が設けられている。
【００２１】
＜第２前面パネル＞
第２前面パネル７は、図２に示すように、枠上辺部材２５、枠下辺部材２７、枠上辺部材２５と枠下辺部材２７の右端部を上下に連結する枠端縦辺部材２９、枠上辺部材２５と枠下辺部材２７の中間部を上下に連結する枠中縦辺部材３１とからなる枠体と、その枠内に線材を設置して構成されている。そして、図３に示すように、枠中縦辺部材３１の図中左側の線材からなる柵体３３が取り外し可能になっている。すなわち、柵体３３は、図３に示すように、周形状が矩形状に形成されるとともに上下辺にそれぞれ３本の足部３５が延出して設けられ、この足部３５が枠体に挿入されるようになっている。そして、上側の両端の足部を固定ネジ３７で固定しており、柵体３３を取り外す時には固定ネジ３７を外すようにする。
また、第２前面パネル７の枠上下辺部材２５、２７には第１前面パネル５との連結をするための連結穴３９が所定のピッチで複数設けられている。
【００２２】
＜右側面パネル＞
右側面パネル１１は、図４に示すように、矩形の枠体４３の枠内に線材からなる柵体を設置して構成される。柵体は上下に２分割され、下側の柵体４５がその上辺４９を回動軸として回動して枠内の下半分を開閉する第２扉体９になっている。第２扉体９の下辺部の左右２箇所にはロック部材５３が設けられている。図５はロック部材５３の説明図であり、図５（ａ）が正面図、図５（ｂ）が側面図である。ロック部材５３は、本体部５５と、本体部５５にスライド可能に保持されたスライド部材５７から構成されている。本体部５５はスライド部材５７を保持する保持部５９と、保持部５９にネジ６１で結合されると共に柵体４５に溶接された固定部６３からなる。スライド部材５７は、太い線材を矩形リング状に屈曲して形成され、挿入片部６５と引掛け片部６７を備えている。
第２扉体９の閉止時においては、スライド部材５７を下方にスライドさせて挿入片部６５を枠体４３の下辺部材に設けたロック穴６９に挿入する。これによって、第２扉体９の回動が規制される。
第２扉体９の開放時には、引掛け片部６７を上側の柵体４７の線材に引掛けることにより、第２扉体９を開放状態で保持する。
【００２３】
図６〜図８は、第２扉体９の開放動作の説明図である。図６に示すように、扉を開ける時は、スライド部材５７を上方に引き上げ、挿入片部６５をロック穴６９から抜き出す。この状態で、図７に示すように、第２扉体９を手前側に引き上げることにより、上辺４９を回動軸として回動させて扉を開ける。そして、図８に示すように、第２扉体９を上側の柵体４７に重なる状態にして、スライド部材５７を下方に押し下げる。これによって、図９に示すように、スライド部材５７の引掛け片部６７が上側の柵体４７の横線材に係止して第２扉体９の回動を規制する。このように、ロック部材５３は第２扉体９の閉止時には第２扉体９が開くのをロックし、第２扉体９の開放時には第２扉体９を開放状態で保持するように機能する。
なお、図９は右側面パネル１１をサークル内側から見た状態を示している。
【００２４】
＜左側面パネル＞
左側面パネル１３は、矩形状の枠体７１の枠内に線材からなる柵体７３を設置してなるものである。左側面パネル１３には右側面パネル１１に設けたような扉は設けられていないが、右側面パネル１１と左側面パネル１３は互いに配置を入れ替えることができる。
【００２５】
＜第１後面パネル＞
第１後面パネル１５は矩形状の枠体７５の枠内に線材からなる柵体７７を設置してなる。枠体７５を構成する枠上辺部材７９及び枠下辺部材８１の外側面にはパネル連結用の連結穴が設けられている。
【００２６】
＜第２後面パネル＞
第２後面パネル１７は、第１後面パネル１５と同様に、矩形状の枠体８３の枠内に線材からなる柵体８５を設置してなる。第２後面パネル１７の枠体８３を構成する枠上辺部材８７及び枠下辺部材８９には第１後面パネル１５との連結をするための連結穴が複数設けられている。
【００２７】
上記のように構成された各パネルを連結してサークルを組み立てる方法を説明する。図１０、図１１はサークルの組み立て方法の説明図であり、左側面パネル１３と第１後面パネル１５の接合方法を示している。
左側面パネル１３の枠体７１の下端部には延出部９１が形成され、そこにダボ９３が設けられている。他方、第１後面パネル１５の枠体７５の下端部には、延出部９１に係合するようにＬ型の切欠き部９５が形成され、そこにダボ９３が嵌合するダボ穴９７が設けられている。図１０に示すように、左側面パネル１３と第１後面パネル１５を両者が直角になるように配置してダボ穴９７にダボ９３を挿入する。そして、図１１に示すように、第１後面パネル１５の枠体から左側面パネル１３の枠体に固定ネジ９９をねじ込むことで両者を固定する。他のパネル同士の接合も同様に行う。
【００２８】
上述した方法によって、図１２に示すように、左側面パネル１３の両側に、左側面パネル１３と直角に第１前面パネル５および第１後面パネル１５を接合し、平面視でコ字状になる第１囲い１０１を形成する。
また、図１３に示すように、右側面パネル１１の両側に、右側面パネル１１と直角に第２前面パネル７および第２後面パネル１７を接合し、平面視でコ字状になる第２囲い１０３を形成する。
【００２９】
第１囲い１０１の開口側と第２囲い１０３の開口側を対向させ、図１に示すように、第１前面パネル５と第２前面パネル７とを一部を重ね、第１後面パネル１５と第２後面パネル１７の一部を重ねるようにして固定ネジによって連結することでサークルが完成する。このとき、重ね合わせの長さを調整することによって、サークルの幅を調整できる。
図１４は、サークルの幅を最も狭くした状態の斜視図、図１５は最も幅を広くした状態の斜視図である。図１４に示す状態では、第１前面パネル５の第１扉３の後方に第２前面パネル７の枠中縦辺部材３１よりも左側の柵体３３が配置されることになり、第１扉３を開放したときに第２前面パネル７の柵体３３が邪魔になる。そこで、このようにサークルの幅を狭めるときには、図３に示すように、柵体３３を取り外すようにする。こうすれば、第１扉３を開放したときに柵体３３が邪魔にならず、サークル内への動物の出し入れが可能になる。
【００３０】
図１６は、サークルの幅調整の態様の説明図であり、図１６（ａ）〜（ｄ）の４つの態様を示している。図１６においては、第１前面パネル５の上部と、第２前面パネル７の上部、連結時の状態の上部を、サークル内側から見た状態を示している。第１前面パネル５の枠上辺部材２１には左右の端部にそれぞれ１個の連結穴、図中右端（組み立てた状態では中央部になる）の連結穴の隣に後述する第２前面パネル７に設ける連結穴のピッチと同じ長さだけ離れた位置に連結穴が一つ設けられている。さらに、枠上辺部材２１のほぼ中央部に１個の連結穴が設けられている。
一方、第２前面パネル７の枠上辺部材２５には一定のピッチで複数の連結穴が設けられている。
【００３１】
図１６（ａ）は、サークルの幅を最も狭くした場合を示している。この場合、前述したように、第２前面パネル７の内側の柵体３３を取り外す。この場合、図１６（ａ）の連結時の状態を示す図に示すように、第１前面パネル５と第２前面パネル７を重ね、両パネルの両端部の連結穴に固定ネジを挿入して固定する。図中、固定ネジを挿入する位置を矢印で示している。
この例では、サークル幅が９０ｃｍになる。
【００３２】
図１６（ｂ）は、サークル幅が中間状態の場合を示している。この場合は、第１前面パネル５については、右端と中央の連結穴を使用し、第２前面パネル７は左端と中央の連結穴を使用する。このときのサークル幅は、１２２ｃｍとなる。
なお、図１６（ａ）の状態から図１６（ｂ）の状態に至るまでに、サークルの幅は第２前面パネル７に設けた連結穴のピッチで調整できる。その場合、第１前面パネル５側の連結穴は図１６（ｂ）と同じ穴を使用する。他方、第２前面パネル７側は、使用する右側の穴を、右端から２番目、３番目・・・と、順次左側に移動させる。
【００３３】
図１６（ｃ）は、図１６（ｂ）よりも、１ピッチ分だけサークル幅を広くした状態である。この段階からは取り外してあった第２前面パネル７の柵体３３を取り付けるようにする。そして、第１前面パネル５側では右端の２個の連結穴を使用し、第２前面パネル７側では、中央の連結穴とその左隣の連結穴を使用する。このときのサークル幅は１２８．４ｃｍとなっている。
図１６（ｃ）の状態よりもサークル幅を広げる場合には、第１前面パネル５は右端の２個の連結穴を使用し、第２前面パネル７は順次左側へ移動させていく。
図１６（ｄ）は、サークル幅を最も広くした状態を示している。このとき、第１前面パネル５は右端の２個の連結穴を使用し、第２前面パネル７は左端の２個の連結穴を使用する。この場合のサークル幅は、１５４ｃｍとなる。
【００３４】
以上のように、本実施の形態においては、サークル幅を第２前面パネル７に設けた連結穴のピッチに合わせて伸縮できるので、以下のような利点がある。
・愛玩動物の成長に応じて適切な収容空間にできる。
・愛玩動物の種類、例えば大型犬、小型犬などを問わず使用できる。
・設置場所に応じて幅を変更できるので、設置場所を選ばない。
このような利点があることから、サークルの購入者にとっては、従来例のように幅が固定のタイプでは種々の条件を考慮して特定の大きさのサークルを選定しなければならず、その選定作業だけでも煩雑であるところ、本実施の形態のように幅調整が自在にできるものであれば、種々の条件を考慮した煩雑な選定作業が不要になるというメリットもある。
【００３５】
なお、愛玩動物用サークル１はそのまま床に直置きしてよいが、図１７に示すように、床の汚れ防止のためのサークル用トレー１０５を置き、その上に設置するようにしてもよい。このサークル用トレー１０５は、サークルの伸縮に合わせて伸縮できるようになっている。
図１８、図１９はサークル用トレー１０５の説明図である。図１８に示すようにサークル用トレー１０５は上トレー１０７と下トレー１０９の２枚のトレーから構成される。上トレー１０５と下トレー１０７には共に矩形の山谷からなる凹凸部１１１が形成されている。そして、図１９に示すように、上トレー１０７と下トレー１０９の一部を重ね合わせて凹凸部１１１を嵌合させることで両者を接合する。重ね合わせる長さによって、トレーの幅を自在に設定できる。
図２０は、トレーの幅を最も広くした状態を示す斜視図、図２１はトレーの幅を最も狭くした状態を示す斜視図である。
【００３６】
図２２は上トレー１０７と下トレー１０９を組み合わせた状態の平面図、図２３は底面図、図２４は図２３における矢視Ａ-Ａ部の拡大図、図２５は図２４における矢視Ｂ-Ｂ断面図、図２６は図２４における矢視Ｃ-Ｃ断面図である。
以下、図２２〜図２６に基づいて凹凸部の形状を説明する。
上トレー１０７と下トレー１０９の凹凸部は、上トレー１０７を下トレー１０９に重ねたときに互いに嵌合できる形状になっている。
また、凹凸部はその軸方向の一部に凸部の側壁を内側に入り込ませることによってくびれ部１１３を形成している。このくびれ部１１３は、サークル用トレー１０５を底面から見たとき現れる（図２３、図２４参照）。図２５は、くびれ部１１３のない部分の断面を示しており、図２６はくびれ部１１３のある部分の断面を示している。くびれ部１１３のない部分では、図２５に示すように凸部１１４の側壁はほぼ垂直になっているが、くびれ部１１３が形成されている部分では、図２６に示されるように、凸部１１４の側壁が内側に傾斜している。
【００３７】
このように凹凸部１１１にくびれ部１１３を設けることによって、上トレー１０７と下トレー１０９の凹凸部１１１を嵌合させたときに両者が強固に連結できるという効果が得られる。このようにすることで、例えば、サークル用トレー１０５の清掃時にトレーを移動させようとした際に上トレー１０７と下トレー１０９が容易に分離することを防止し、トレー内に残っていた尿などがこぼれてしまうのを防止できる。
なお、凹凸部１１１の高さは概ね７ｍｍ〜８ｍｍにするのが好ましい。愛玩動物の快適性を考えると凹凸部１１１の高低差は低い方が好ましいが、上トレー１０７と下トレー１０９の連結を強固にする観点から一定の高さが必要であり、両者の調和の観点から上記の高さに設定したものである。
【００３８】
また、凹凸部１１１の幅方向のピッチは愛玩動物用サークル１の幅調整のピッチに合わせるのが好ましい。このようにすることによって、サークルの幅に合わせた幅調整が容易にできるからである。
【００３９】
なお、上記の実施の形態においては、第１前面パネル５と第２前面パネル７を幅調整可能にしたときに第１前面パネル５の扉部分と第２前面パネル７が重なる場合において、第１扉３の後方を開けるために第２前面パネル７の柵体３３を取り外すようにした。
第１前面パネル５の第１扉３の部分と第２前面パネル７が重なる場合において、第１扉３の後方を開ける方法としては、重なる部分の柵体３３を取り外す他、当該部分の柵体３３をスライド可能に取り付けておいて横方向にずらすとか、あるは柵体３３の一辺を回動軸として回動させるなどの方法であってもよい。
【００４０】
なお、２枚のパネルの一部を重ね合わせて幅調整可能にすると共に幅を縮めた状態でも扉の開放が阻害されないという第１前面パネル５と第２前面パネル７からなるパネル体は、サークルの前面パネルとして利用する他、このような第１前面パネル５と第２前面パネル７からなるパネル体を、例えば図２７に示すような愛玩動物通行規制用柵１１５に適用することもできる。
【００４１】
図２７に示す愛玩動物通行規制用柵１１５は、室内で動物を飼育する場合において、キッチンや玄関など愛玩動物の通行を阻止するための柵であり、第１前面パネル５と第２前面パネル７からなる正面パネル１１７と、正面パネル１１７の両側に折り畳み可能かつ分離可能に取付けられた一対の側面パネル１１９とを備えて構成される。
【００４２】
第１前面パネル５と第２前面パネル７の構成は上記の実施の形態で示したものと同様である。また、幅を縮めた状態でも扉開放が阻害されない構成については、上記の実施の形態で示した例の他、変形例として示したスライド方式や回動方式を適用することができる。
【００４３】
また、上記のパネル体は、上記のような載置タイプの愛玩動物通行規制用柵１１５の他、両側を壁に突っ張って保持する側面パネルのないタイプの愛玩動物通行規制用柵にも適用できる。
【００４４】
なお、幅方向に調整可能に設置するパネル同士、例えば第１前面パネル５と第２前面パネル７の接合方法について、上記の実施の形態では第１前面パネル５と第２前面パネル７に設けた連結穴同士を固定ネジで連結する例を示したが、これらパネルの固定方法は他の態様でもよい。例えば、図２８及び図２８の矢視Ａ−Ａ断面図である図２９に示すように、第１前面パネル５の枠上辺部材２１と第２前面パネル２５の枠上辺部材２５に断面略コ字状の固定部材１２１を両方の枠上辺部材２１、２５を包み込むようにして設置し、固定部材１２１の側部に設けた固定ネジ１２３で枠上辺部材２１を枠上辺部材２５側に押圧することで固定するようにしてもよい。
このようにすれば、幅方向の調整を連続的に行うことができる。
【００４５】
また、他の態様として、図３０及び図３０の矢視Ｂ−Ｂ断面図に示すように、第１前面パネル５の枠上辺部材２１における第２前面パネル７に対向する面に溝付の車輪１２５を設け、第１前面パネル７の枠上辺部材２５に車輪１２５の溝に挿入可能なレール１２７を設け、車輪１２５の溝をレール１２７に嵌め込むことによって、第１前面パネル５と第２前面パネル７を連結するようにしてもよい。この場合には、第１前面パネル５と第２前面パネル７の幅方向の移動がスムーズに行えるという効果が得られる。なお、幅方向の所定の位置での固定方法は例えば、図２８に示した方法で行うようにすればよい。
【００４６】
また、上記の実施の形態においては、愛玩動物用サークル１の幅を縮めた状態において、第１前面パネル５に設けた第１扉３が有効に機能するようにするための方法として、第２前面パネル７の柵体３３を取り外す例を示した。
しかし、本発明はこの例に限られるものではなく、例えば、図３２に示すように、柵体３３を、一方の縦辺３３ａをピン１２９で固定すると共に他方の縦辺３３ｂを軸として回動可能に枠体に取り付け、サークル幅を縮めた状態では、図３３に示すようにピン１２９を外して柵体３３を回動させて、図３４に示すように、柵体３３に隣接する柵体３４に重ねた状態にしてピン１２９で固定するようにしてもよい。
【００４７】
また、図３５および図３５の矢視Ｃ−Ｃ断面図である図３６に示すように、柵体３３を第２前面パネル７の枠上辺部材２５及び枠下辺部材２７に設けたスライド溝１３１に沿ってスライドできるように設置して、サークル幅を縮めた状態では柵体３３を柵体３４側にスライドさせるようにしてもよい。
【００４８】
また、他の例としては、図３７、図３８に示すように、柵体３３と柵体３４を、連結棒１３３を介して折りたたみ可能に連結すると共に枠上辺部材２５及び枠下辺部材２７に柵体３３の縦辺３３ａが柵体３４側に移動可能な溝１３５を設けておき、サークル幅を縮めた状態では、図３８に示すように、連結棒１３３の固定ピン１３７を外して、柵体３３の上下辺を、溝１３５内を移動させて折りたたみ、折りたたんだ状態で再び固定ピン１３７で固定するようにしてもよい。
【図面の簡単な説明】
【００４９】
【図１】本発明の一実施の形態に係る愛玩動物用サークルの斜視図である。
【図２】本発明の一実施の形態に係る愛玩動物用サークルの分解斜視図である。
【図３】本発明の一実施の形態に係る愛玩動物用サークルを構成する第２前面パネルの説明図である。
【図４】本発明の一実施の形態に係る愛玩動物用サークルを構成する右側面パネルの説明図である。
【図５】図４に示した右側面パネルに設置されたロック部材の説明図である。
【図６】本発明の一実施の形態に係る愛玩動物用サークルを構成する右側面パネルの動作説明図である。
【図７】本発明の一実施の形態に係る愛玩動物用サークルを構成する右側面パネルの動作説明図である。
【図８】本発明の一実施の形態に係る愛玩動物用サークルを構成する右側面パネルの動作説明図である。
【図９】図５に示したロック部材の動作説明図である。
【図１０】発明の一実施の形態に係る愛玩動物用サークルの組み立て方法の説明図である。
【図１１】発明の一実施の形態に係る愛玩動物用サークルの組み立て方法の説明図である。
【図１２】発明の一実施の形態に係る愛玩動物用サークルの組み立て方法の説明図である。
【図１３】発明の一実施の形態に係る愛玩動物用サークルの組み立て方法の説明図である。
【図１４】発明の一実施の形態に係る愛玩動物用サークルの幅を最も狭くした状態の斜視図である。
【図１５】発明の一実施の形態に係る愛玩動物用サークルの幅を最も広くした状態の斜視図である。
【図１６】発明の一実施の形態に係る愛玩動物用サークルの幅調整方法の説明図である。
【図１７】発明の一実施の形態に係る愛玩動物用サークルをトレー上に設置した状態を示す図である。
【図１８】発明の一実施の形態に係るサークル用トレーの説明図である。
【図１９】発明の一実施の形態に係るサークル用トレーの説明図である。
【図２０】発明の一実施の形態に係るサークル用トレーの幅を最も広くした状態の斜視図である。
【図２１】発明の一実施の形態に係るサークル用トレーの幅を最も狭くした状態の斜視図である。
【図２２】発明の一実施の形態に係るサークル用トレーの平面図である。
【図２３】発明の一実施の形態に係るサークル用トレーの底面図である。
【図２４】図２３の矢視Ａ-Ａ拡大図である。
【図２５】図２４の矢視Ｂ-Ｂ断面図である。
【図２６】図２４の矢視Ｃ-Ｃ断面図である。
【図２７】本発明の他の実施形態の説明図である。
【図２８】本発明の他の実施形態の説明図である。
【図２９】本発明の他の実施形態の説明図である。
【図３０】本発明の他の実施形態の説明図である。
【図３１】本発明の他の実施形態の説明図である。
【図３２】本発明の他の実施形態の説明図である。
【図３３】本発明の他の実施形態の説明図である。
【図３４】本発明の他の実施形態の説明図である。
【図３５】本発明の他の実施形態の説明図である。
【図３６】本発明の他の実施形態の説明図である。
【図３７】本発明の他の実施形態の説明図である。
【図３８】本発明の他の実施形態の説明図である。
【符号の説明】
【００５０】
１  愛玩動物用サークル
３  第１扉
５  第１前面パネル
７  第２前面パネル
９  第２扉体
１１  右側面パネル
１３  左側面パネル
１５  第１後面パネル
１７  第２後面パネル
３３  柵体
３９  連結穴
５３  ロック部材
５５  本体部
５７  スライド部材
６５  挿入片部
６７  引掛け片部
１０１  第１囲い
１０３  第２囲い
１０５  サークル用トレー
１０７  上トレー
１０９  下トレー
１１１  凹凸部
１１５  愛玩動物通行規制用柵
１１７  正面パネル
１１９  側面パネル
【図１】
2008118931.tif 000003
【図２】
2008118931.tif 000004
【図３】
2008118931.tif 000005
【図４】
2008118931.tif 000006
【図５】
2008118931.tif 000007
【図６】
2008118931.tif 000008
【図７】
2008118931.tif 000009
【図８】
2008118931.tif 000010
【図９】
2008118931.tif 000011
【図１０】
2008118931.tif 000012
【図１１】
2008118931.tif 000013
【図１２】
2008118931.tif 000014
【図１３】
2008118931.tif 000015
【図１４】
2008118931.tif 000016
【図１５】
2008118931.tif 000017
【図１６】
2008118931.tif 000018
【図１７】
2008118931.tif 000019
【図１８】
2008118931.tif 000020
【図１９】
2008118931.tif 000021
【図２０】
2008118931.tif 000022
【図２１】
2008118931.tif 000023
【図２２】
2008118931.tif 000024
【図２３】
2008118931.tif 000025
【図２４】
2008118931.tif 000026
【図２５】
2008118931.tif 000027
【図２６】
2008118931.tif 000028
【図２７】
2008118931.tif 000029
【図２８】
2008118931.tif 000030
【図２９】
2008118931.tif 000031
【図３０】
2008118931.tif 000032
【図３１】
2008118931.tif 000033
【図３２】
2008118931.tif 000034
【図３３】
2008118931.tif 000035
【図３４】
2008118931.tif 000036
【図３５】
2008118931.tif 000037
【図３６】
2008118931.tif 000038
【図３７】
2008118931.tif 000039
【図３８】
2008118931.tif 000040